(57)【特許請求の範囲】
【請求項１】
多分割型アンテナであって、前記多分割型アンテナは、
少なくとも３分割されたそれぞれのアンテナがキャニスタ（ｃａｎｉｓｔｅｒ）をなすように整列され、前記多分割型アンテナは、前記それぞれのアンテナの下面に結合されるアダプタ（ａｄａｐｔｅｒ）を含む多分割型アンテナ。
【請求項２】
前記それぞれのアンテナは、中空型であってその内部に連結固定部を形成した、請求項１に記載の多分割型アンテナ。
【請求項３】
前記アダプタの上面にはアダプタ側連結固定部が形成されており、前記それぞれのアンテナの前記連結固定部と前記アダプタ側連結固定部とは連結部材によって連結されて固定される、請求項２に記載の多分割型アンテナ。
【請求項４】
前記アダプタは、前記それぞれのアンテナに対応するアンテナ対応領域を提供し、前記それぞれのアンテナ対応領域に前記アダプタ側連結固定部が少なくとも１つ形成された、請求項３に記載の多分割型アンテナ。
【請求項５】
前記連結部材は、ワイヤである、請求項４に記載の多分割型アンテナ。
【請求項６】
前記ワイヤは、上部ワイヤおよび下部ワイヤを含み、上部ワイヤは、張力調節部を含み、下部ワイヤは、ノードを起点として上部ワイヤから少なくとも二本に分岐されて、下へいくほど互いに対向して距離が遠くなるように下向き延長した、請求項５に記載の多分割型アンテナ。
【請求項７】
前記下部ワイヤの端部は、他のアンテナの前記それぞれのアンテナ対応領域に形成された前記アダプタ側連結固定部に連結されて固定される、請求項６に記載の多分割型アンテナ。
【請求項８】
前記アダプタは、前記それぞれのアンテナのコネクタ部を収容するための複数のスロットを形成した、請求項１〜７のいずれか１項に記載の多分割型アンテナ。
【請求項９】
前記アダプタは、その外周端部近傍にそれぞれのアンテナと結合されるための結合ホールを形成した、請求項８に記載の多分割型アンテナ。
【請求項１０】
多分割型アンテナであって、前記多分割型アンテナは、
第１アンテナ、第２アンテナおよび第３アンテナを含み、
前記第１、第２および第３アンテナは、キャニスタ（ｃａｎｉｓｔｅｒ）をなすように整列され、
前記多分割型アンテナは、前記第１、第２および第３アンテナの下面に結合されるアダプタ（ａｄａｐｔｅｒ）を含み、
前記第１、第２および第３アンテナは、中空型であってその内部にそれぞれの連結固定部を形成し、
前記アダプタの上面にはアダプタ側連結固定部が形成されており、
前記第１、第２および第３アンテナの前記それぞれの連結固定部と前記アダプタ側連結固定部とが連結部材によって連結されて固定される多分割型アンテナ。
【請求項１１】
前記アダプタは、前記第１、第２および第３アンテナに対応するそれぞれのアンテナ対応領域を提供し、前記連結部材の端部は、他のアンテナの前記それぞれのアンテナ対応領域に形成された前記アダプタ側連結固定部に連結されて固定される、請求項１０に記載の多分割型アンテナ。
【請求項１２】
前記連結部材は、ワイヤである、請求項１０または１１に記載の多分割型アンテナ。
【請求項１３】
多分割型アンテナの設置方法であって、前記設置方法は、
少なくとも３分割されたそれぞれのアンテナを提供する過程と、
多分割型アンテナのアダプタとポールとを結合する過程と、
前記それぞれのアンテナと前記アダプタとを連結部材を用いて結合する過程とを含む多分割型アンテナの設置方法。
【請求項１４】
前記連結部材を用いて結合する過程は、前記連結部材を前記それぞれのアンテナに形成された連結固定部と前記アダプタに形成されたアダプタ側連結固定部との間に連結して固定する過程である、請求項１３に記載の多分割型アンテナの設置方法。
【請求項１５】
前記連結部材を用いて結合する過程は、前記それぞれのアンテナの連結固定部に対応する前記アダプタのアダプタ側連結固定部が十分に対向して離隔するように前記連結部材を連結して固定する過程である、請求項１４に記載の多分割型アンテナの設置方法。
【発明の詳細な説明】
【技術分野】
【０００１】
本開示は、多分割型アンテナに関する。
【背景技術】
【０００２】
この部分に記述された内容は、単に本実施形態に関する背景情報を提供するだけで、従来技術を構成するものではない。
【０００３】
最近、移動通信基地局や中継器で広く用いられているアンテナは、小型化および軽量化を求めるべく多様な研究が行われている。これはアンテナタワーに対する物理的負担を軽減する方法でもあるが、都市環境の視覚的阻害要素を解消するためでもある。特に、最近は、都心地のビルや小型タワーの場合、都市環境の視覚的阻害要素になったりして、今後、事業者の通信網構築に一つの障害要素として作用する可能性もある。
【０００４】
図１Ａは、現在多く用いられているアンテナタワーを設けた図である。アンテナポスト１’を中心に３つの分割マスト（ｍａｓｔ）型のアンテナ１ａ’、１ｂ’、１ｃ’が分岐設置されている。それぞれのマストアンテナ１ａ’、１ｂ’、１ｃ’は、板状でそれぞれ１２０度範囲の信号波を受信するようになっている。この先行技術は、板状構造で完全に分離されているため、構造の一体性を確保できずに設置および維持補修に高費用が費やされ、都市環境の視覚的美観を損ねるという欠点がある。
【０００５】
最近、上述した問題を解決するために、１つのポールまたはタワーにアンテナ３つを設け、円筒状のキャニスタ（ｃａｎｉｓｔｅｒ）を被せて偽装する技術が登場した。
【０００６】
例えば、図１Ｂは、『タワーコスタッフィング、インク（ＴｏｗｅｒＣｏ  Ｓｔａｆｆｉｎｇ，Ｉｎｃ．）』が出願人である米国公開特許出願第２０１４／０２４０１９３号の隠匿型アンテナタワーを示す。隠匿型アンテナポール（ｐｏｌｅ；１０’）は、ポール１０ｂ’上にアンテナキャニスタ１５’を設けている。アンテナキャニスタ１５’は円筒状である。
【０００７】
図１Ｂのような技術では、公報の図１７に示すように、通常、キャニスタの内部を貫通する中心の支柱にブラケット（ｂｒａｃｋｅｔ）連結構造を設け、これを介して３つのアンテナを所定角度をおいて設ける方式を採用している。
【０００８】
このような先行技術は、外観が都市環境に似合うという利点はあるが、アンテナキャニスタ１５’の内部構造をすべて組立てた後、ポール１０ｂ’上に設けなければならないので、設置作業が難しく、障害が発生すると、アンテナキャニスタ１’を解体して補修しなければならないという欠点がある。また、キャニスタ１５’を別途製作しなければならないので、コスト上昇の原因となり、アンテナ全体のサイズが大きくなり、重量が増加するという欠点がある。
【０００９】
また、アンテナは、地上の高い位置で風と気候の影響に敏感なため、強風や台風の影響があっても、それぞれの信号波受信範囲がずれることがなくてこそ高性能を維持することができる。ところが、図１Ｂの隠匿型アンテナポール１０’は、アンテナ間の連結構造の強固さにおいて改善の余地があった。
【００１０】
出願人は、以上の問題点に対する認識に基づいて、多分割型アンテナを用いてこれを一体化するように改善すると、上述した先行技術の欠点を解消しつつ、組立、設置および維持補修が容易であり、アンテナ間の連結構造を半永久的に強固に維持し、都市環境の視覚的美観にも寄与できるという知見に至るようになった。
【００１１】
以下に述べる本開示の説明はこの知見に基づくものである。
【発明の概要】
【発明が解決しようとする課題】
【００１２】
本開示は、組立、設置および維持補修が容易であり、アンテナ間の連結構造を半永久的に強固に維持し、都市環境の視覚的美観にも寄与できる多分割型アンテナを提供することを目的とする。
【００１３】
本開示は、小型化、軽量化の面で有利であり、コンパクトな構造で費用を節減できる多分割型アンテナを提供することを目的とする。
【課題を解決するための手段】
【００１４】
本開示の一実施形態は、多分割型アンテナであって、少なくとも３分割されたそれぞれのアンテナがキャニスタ（ｃａｎｉｓｔｅｒ）をなすように整列され、多分割型アンテナは、それぞれのアンテナの下面に結合されるアダプタ（ａｄａｐｔｅｒ）を含む多分割型アンテナを提供する。
【００１５】
本開示の他の側面による実施形態は、多分割型アンテナが第１アンテナ、第２アンテナおよび第３アンテナを含み、第１、第２および第３アンテナは、キャニスタをなすように整列され、さらに、多分割型アンテナは、第１、第２および第３アンテナの下面に結合されるアダプタを含み、第１、第２および第３アンテナは、中空型であってその内部にそれぞれの連結固定部を形成し、アダプタの上面にはアダプタ側連結固定部が形成されており、第１、第２および第３アンテナそれぞれの連結固定部とアダプタ側連結固定部とが連結部材によって連結されて固定される多分割型アンテナを提供する。
【００１６】
本開示の他の側面による実施形態は、多分割型アンテナの設置方法が、少なくとも３分割されたそれぞれのアンテナを提供する過程と、多分割型アンテナのアダプタとポールとを結合する過程と、それぞれのアンテナとアダプタとを連結部材を用いて結合する過程とを含む多分割型アンテナの設置方法を提供する。
【００１７】
本開示の実施形態によれば、連結部材は、ワイヤであることが好ましい。
【００１８】
ワイヤは、張力を調節してそれぞれのアンテナをアダプタに強固に固定するように適用される。
【発明の効果】
【００１９】
本開示の実施形態は、分割されたアンテナの一体化構造により円筒のキャニスタ型アンテナを提供するので、都市の視覚的美観に似合う効果を奏する。
【００２０】
さらに、製作、設置および維持補修に便利であり、小型化軽量化の面で有利である。
【００２１】
本開示の実施形態によれば、連結部材としてワイヤを用いた強固な締結構造により半永久的にこの可能な多分割型アンテナを提供する効果を奏する。
【図面の簡単な説明】
【００２２】
【図１Ａ】先行技術のマスト型アンテナを示す図である。
【図１Ｂ】他の先行技術の隠匿型アンテナを示す図である。
【図２】本開示の実施形態に係る多分割型アンテナの斜視図である。
【図３Ａ】本開示の実施形態に係るアダプタの保護カバーを解体して見上げた斜視図である。
【図３Ｂ】本開示の実施形態に係るアダプタを見下ろした斜視図である。
【図３Ｃ】アダプタの平面図である。
【図４】本開示の実施形態に係る多分割型アンテナの第１アンテナがアダプタと結合したことを示す斜視図である。
【図５】本開示の実施形態に係るアダプタとポールとが結合したことを示す斜視図である。
【図６】本開示の実施形態に係るそれぞれのアンテナがアダプタと結合したことを示す斜視図である。
【図７】本開示の実施形態に係るキャップがそれぞれのアンテナと結合したことを示す斜視図である。
【図８】本開示の実施形態に係る充填材と保護カバーが多分割型アンテナに設けられたことを示す斜視図である。
【発明を実施するための形態】
【００２３】
以下、本発明の一部の実施形態を例示的な図面により詳細に説明する。各図面の構成要素に参照符号を付加するにあたり、同一の構成要素については、たとえ他の図面上に表示されてもできるだけ同一の符号を有するようにしていることに留意しなければならない。また、本発明を説明するにあたり、かかる公知の構成または機能に関する具体的な説明が本発明の要旨をあいまいにし得ると判断された場合には、その詳細な説明は省略する。
【００２４】
また、本発明の構成要素を説明するにあたり、第１、第２、Ａ、Ｂなどの用語を使うことができる。このような用語は、その構成要素を他の構成要素と区別するためのものに過ぎず、その用語によって当該構成要素の本質や順序などが限定されない。明細書全体において、ある部分がある構成要素を「含む」、「備える」とする時、これは、特に反対の記載がない限り、他の構成要素を除くのではなく、他の構成要素をさらに包含できることを意味する。
【００２５】
ある構成要素が他の構成要素に「連結」、「結合」または「締結」されると記載された場合、その構成要素はその他の構成要素に直接的に連結または接続されるが、各構成要素の間にさらに他の構成要素が「連結」、「結合」または「締結」されてもよいことが理解されなければならない。
【００２６】
また、図面に示された構成要素の大きさや形状などは、説明の明瞭性と便宜上誇張されて示されることがある。さらに、本発明の構成および作用を考慮して特別に定義された用語は本発明の実施形態を説明するためのものに過ぎず、本発明の範囲を限定するものではない。
【００２７】
以下、本開示の一実施形態として提示される多分割型アンテナ１について、添付図面を参照して説明する。
【００２８】
図２において、本開示の多分割型アンテナ１は、第１アンテナ１ａ、第２アンテナ１ｂおよび第３アンテナ１ｃを含む。それぞれのアンテナ１ａ、１ｂ、１ｃは、同一の形状でそれぞれ約１２０度範囲の信号波帯域を管轄する。それぞれのアンテナ１ａ、１ｂ、１ｃは、仮想の円形カラムを均等に３等分したセクタを占有する形状をなしている。この場合、それぞれのアンテナ１ａ、１ｂ、１ｃは、略扇形断面をした、長く延びた部材になる。
【００２９】
多分割型アンテナ１の上面のそれぞれのアンテナ１ａ、１ｂ、１ｃの間には境界線１ａｂ、１ｂｃ、１ｃａが形成されている。境界線１ａｂ、１ｂｃ、１ｃａの下部では、それぞれのアンテナ１ａ、１ｂ、１ｃの間に、例えば、プラスチック密封材のような充填材３０が介在して、外部から多分割型アンテナ１を保護して気密に密封している。充填材３０は、一体型アンテナの外観を与えるように、それぞれのアンテナ１ａ、１ｂ、１ｃの外面と均一な面を形成することが好ましい。
【００３０】
図２において、本開示の多分割型アンテナ１は、中空型の一例を挙げたもので、それぞれのアンテナ１ａ、１ｂ、１ｃの結合時、内部には空き空間が形成され、この空間を覆うようにキャップ１０が設けられている。キャップ１０は、それぞれのアンテナ１ａ、１ｂ、１ｃの上面と実質的に均一な１つの面のように見えるように結合されることが好ましい。また、空き空間とキャップ１０は円形であり得るが、必ずしもこれに限定されない。
【００３１】
これと異なり、本開示の多分割型アンテナ１は、中実型であってもよい。この場合、それぞれのアンテナ１ａ、１ｂ、１ｃの結合時、内部には空き空間が形成されず、よって、キャップ１０は必要でない。
【００３２】
本開示の多分割型アンテナ１は、第１アンテナ１ａ、第２アンテナ１ｂおよび第３アンテナ１ｃからなる構造自体で円筒のキャニスタ型アンテナを提供する点に特徴がある。したがって、キャニスタの別途提供による大きさの増大や高費用の問題を解消しつつ、周りの都市環境の視覚的美観に似合うアンテナ構造を提供することができる。アンテナを覆う別途のキャニスタを設ける場合、全径は１．５ｍ〜２ｍになる。しかし、本開示の多分割型アンテナ１は、１ｍ程度と直径を縮小できるため、小型化と軽量化の面で有利であり、設置が容易である。
【００３３】
このような機能を達成する限り、本開示の多分割型アンテナは、３セクタ型アンテナ構造に限定されないことは自明である。例えば、４セクタ、６セクタ、...、ｎセクタに分けられた分割型アンテナの製作も可能である。６セクタ型アンテナであれば、それぞれのアンテナは約６０度範囲の信号波を担うようになる。
【００３４】
また、それぞれのアンテナ１ａ、１ｂ、１ｃの境界部には、例えば、アンテナ１ａ、１ｂ、１ｃを連結するための連結構造を介在させたり、または外部密封のためのダミー（ｄｕｍｍｙ）を追加するなど様々な変形が可能である。
【００３５】
さらに、図２において、本開示の多分割型アンテナ１は、第１アンテナ１ａ、第２アンテナ１ｂおよび第３アンテナ１ｃの下面に連結されたアダプタ２０をさらに含んでいる。アダプタ２０は、下へいくほど直径が縮小した円錐状であるが、これに限定されない。２００は、アダプタ２０の内部構成を外部から保護するための保護カバー２００である。
【００３６】
多分割型アンテナ１は、ポール１１に設けられる。ポール１１は、単に一例を提示したものであり、屋内外のタワー、旗竿など任意のロッド（ｒｏｄ）またはポストであってもよい。
【００３７】
図３Ａは、本開示のアダプタ２０の保護カバー２００を解体して見上げた斜視図である。
【００３８】
アダプタ２０は、多分割型アンテナ１の構造に合わせてそれぞれのアンテナ設置のための領域、すなわち、第１領域２０ａ、第２領域２０ｂおよび第３領域２０ｃに３分割され、それぞれの領域は、三角形状の分離板２０ａｂ、２０ｂｃ、２０ｃａによって規定されている。
【００３９】
それぞれの領域２０ａ、２０ｂ、２０ｃには、それぞれのアンテナ１ａ、１ｂ、１ｃに形成された小口径のターミナルまたはポートＰ１と大口径のターミナルまたはポートＰ２が複数個突出している。ポートＰ１、Ｐ２は、アンテナのコネクタを形成し、ポール１１を介して延びるＲＦジャンパー（Ｒａｄｉｏ  ｆｒｅｑｕｅｎｃｙ  ｊｕｍｐｅｒ）および／またはＡＩＳＧケーブル（Ａｎｔｅｎｎａ  ｉｎｔｅｒｆａｃｅ  ｓｔａｎｄａｒｄｓ  ｇｒｏｕｐ  ｃａｂｌｅ；Ｃ）が連結される。当業者に知られているように、ポートＰ１、Ｐ２は、周波数範囲、例えば、８１７〜８６９Ｍｈｚ、１８６０〜１９４５Ｍｈｚおよび２４９０〜２８９０Ｍｈｚによって区画されて配列され、これに相応するジャンパーまたはケーブルＣそれぞれが結合する。
【００４０】
図３Ｂは、本開示のアダプタ２０を見下ろした斜視図であり、図３Ｃは、アダプタ２０の平面図である。
【００４１】
アダプタ２０は、アンテナが設けられるそれぞれの領域２０ａ、２０ｂ、２０ｃでその周りを囲んで配列された複数のスロット２３を形成している。スロット２３は、アンテナのポートＰ１、Ｐ２を収容するための開口である。スロット２３は、それぞれのアンテナ設置領域２０ａ、２０ｂ、２０ｃに、図示の例では６個、よって、全体的に１８個設けられているが、その個数と形状は仕様によって任意に変更可能である。
【００４２】
本開示のアダプタ２０は、アンテナを組立結合するための連結固定部２１を形成している。連結固定部２１は、ホールが形成された半円形のフランジ状にアダプタ２０の上面に、好ましくはアダプタ２０と一体に製作される。図示の例において、連結固定部２１は、それぞれのアンテナ設置領域２０ａ、２０ｂ、２０ｃにおいて、スロット２３の前方とアダプタ２０の中心部との間に並んで位置した一対の連結固定部２１ａ、２１ａ；２１ｂ、２１ｂ；２１ｃ、２１ｃを含んでいる。同一のアンテナ設置領域に形成された連結固定部は一対にセットをなすため、相互間の距離は、他の連結固定部との離隔距離より小さいようになっている。
【００４３】
これは一例を提示したものであり、アンテナ設置領域２０ａ、２０ｂ、２０ｃによって連結固定部２１の形状および個数は任意に変更可能であることはもちろんである。
【００４４】
また、アンテナ設置領域２０ａ、２０ｂ、２０ｃの区分なしに、アダプタ２０の上面に同一の間隔で差別なく連結固定部２１を囲んで配列することも可能である。
【００４５】
アダプタ２０の外周端部には、一定間隔をおいて結合ホール２２が形成されている。結合ホール２２は、アダプタ２０にそれぞれのアンテナ１ａ、１ｂ、１ｃを締結する開口を提供する。結合ホール２２を介した締結手段は、ボルト、ナット、ワッシャなどいずれも任意に適宜選択可能である。あるいは、結合ホール２２のない、溶接による締結も可能である。
【００４６】
未説明符号２４は、ポール１１と、例えば、ボルト−ナット締結されるための開口を提供するスロットである。
【００４７】
都市環境に似合う多分割型アンテナ１を提供するためには、分割されたアンテナが互いに密接に整列され、ずれのないキャニスタをなさなければならない。そのためには、それぞれのアンテナがアダプタに対して半永久的に強固に締結されることが必要である。
【００４８】
図４は、本開示の多分割型アンテナ１それぞれのアンテナがアダプタ２０と結合したことを示す斜視図である。図示の便宜のために、第１アンテナ１ａを例として説明するが、第２および第３アンテナ１ｂ、１ｃに対しても同一に適用される。
【００４９】
第１アンテナ１ａは、前述のように中空型であり、内部中央部には高さ方向に沿って長く延びたポスト２ａが形成されている。ポスト２ａの上部、例えば、図示の例では上端近傍に、ホールが形成された半円形のフランジ状の連結固定部３ａが設けられている。ポスト２ａは、連結固定部３ａの支柱の役割を果たすため、ポスト２ａを省略し、第１アンテナ１ａの内部面に連結固定部３ａを直接設けてもよい。
【００５０】
第１アンテナ１ａの連結固定部３ａとアダプタ２０の連結固定部２１とは連結部材４によって強固に連結され、第１アンテナ１ａがアダプタ２０の上面に垂直に起立している。連結部材４は、強い張力を提供する限り、いずれの部材も採用可能であるが、本実施形態では、ワイヤ４を例に挙げて説明する。
【００５１】
本実施形態のワイヤ４は、上部ワイヤ５および下部ワイヤ６を含む。
【００５２】
上部ワイヤ５は、適切な箇所に張力調節部８を設け、連結構造の緩みなく、第１アンテナ１ａがアダプタ２０に垂直に正確に起立するようにしている。張力調節部８は、例えば、テンションスプリングとテンションスプリングの張力を調節するダイヤルまたは機械的なブッシングのようなテンショナなどいずれも適宜選択して構成することができる。
【００５３】
下部ワイヤ６は、ノード７を起点として上部ワイヤ５から二本に分岐されて、下へいくほど互いに対向して距離が遠くなるように下向き延長されている。下部ワイヤ６の端部は、図４に示すように、１つは連結固定部２１ｂに連結され、他の１つは連結固定部２１ｃに連結されて固定されている。このように下部ワイヤ６の分岐された端部が相対的に離隔距離の大きい連結固定部２１ｂ、２１ｃの間で固定されるため、第１アンテナ１ａに対してより強い張力を提供しながら組立てることが可能である。
【００５４】
このような結合方式を取る理由は、当業者に自明のように、ワイヤ４が締結および被締結部材の間で互いに対向して、また、間隔が遠くなって連結されるほど２つの部材の間の安定した結合に有利であり、結合後の揺れやねじれを防止できるからである。したがって、この目的を達成できる限り、前述のようにアダプタ２０の連結固定部２１の配置を変更すると、これに合わせてワイヤ４の連結構造も適宜変更可能である。
【００５５】
以上説明した第１アンテナ１ａと同様の方式で、図示しない第２アンテナ１ｂの連結部材は、連結固定部２１ａ、２１ｃの間で固定され、図示しない第３アンテナ１ｃの連結部材は、連結固定部２１ａ、２１ｂの間で固定される。したがって、それぞれのアンテナ１ａ、１ｂ、１ｃは、アダプタ２０に対して垂直に起立して境界線１ａｂ、１ｂｃ、１ｃａを基準に分割されながらも一体化された１つの円筒状のキャニスタを形成することができる。そして、それぞれのアンテナ１ａ、１ｂ、１ｃは、アダプタ２０上のそれぞれのアンテナ設置領域２０ａ、２０ｂ、２０ｃを占有するのである。
【００５６】
４セクタ型以上の分割型アンテナの場合にも、連結固定部とワイヤを用いて、同様の方式で一体型のアンテナを形成することができる。
【００５７】
以下、上述した本開示の多分割型アンテナ１の構成に基づいて、多分割型アンテナ１の設置過程を図５〜図８を参照して順に説明する。これは説明の便宜のためのものであり、設置工程の順序は作業環境に応じて適宜変更可能である。
【００５８】
まず、図５に示すように、アダプタ２０のスロット２４にポール１１のフランジに形成された結合孔１０１を位置させ、例えば、ボルト−ナット結合によりアダプタ２０とポール１１を整列させて下部構造を完成する。
【００５９】
次に、図６に示すように、図４を参照して説明したのと同じく、連結部材４を用いて、それぞれのアンテナ１ａ、１ｂ、１ｃがアダプタ２０に垂直に起立するように張力を調節して固定し、この位置で結合ホール２２を介して、例えば、ボルト−ナット結合によりそれぞれのアンテナ１ａ、１ｂ、１ｃとアダプタ２０との連結構造を半永久的に強固に締結する。そして、ポール１１を介して延びたジャンパーまたはケーブルＣをスロット２３を介して突出したアンテナコネクタのターミナルまたはポートＰ１、Ｐ２に連結して通信データの連結を完成する。
【００６０】
次に、図７に示すように、キャップ１０をそれぞれのアンテナ１ａ、１ｂ、１ｃの上面によって形成される空洞を密封するように結合する。結合方式は、図示しないボルトとブラケットの結合または密封材を添加した溶接などいずれも適宜選択可能である。
【００６１】
最後に、図８に示すように、充填材３０を介在させて、外部から多分割型アンテナ１を保護するように気密に密封し、保護カバー２００をアダプタ２０の下面に結合させて外装を完成する。
【００６２】
このように製作された本開示の多分割型アンテナ１は、第１アンテナ１ａ、第２アンテナ１ｂおよび第３アンテナ１ｃからなる構造自体で円筒のキャニスタに一体化されたアンテナを提供するため、図示の視覚的美観に似合う効果を奏する。
【００６３】
さらに、ワイヤを用いた強固な締結構造によって、強風や台風のような自然環境下でも信号波受信を安定して行うことができ、使用者にいつでも高性能のサービスを提供できることが分かる。
【００６４】
以上、本開示の好ましい実施形態を添付図面を参照して説明したが、これは一例に過ぎず、本開示は、実施形態に基づいて同一の技術思想の範囲内で形状、位置、大きさおよび配列に対して多様な変形が可能である。したがって、本開示の権利範囲は、上述した特定の実施形態に限定されてはならず、本開示の保護範囲は、以下に添付する請求の範囲と同一および均等な領域にまで及ぶことに留意しなければならない。
【関連出願との相互参照】
【００６５】
本特許出願は、２０１５年１１月３０日付で韓国に出願した特許出願番号第１０−２０１５−０１６８９３９号に対して米国特許法１１９（ａ）条（３５Ｕ．Ｓ．Ｃ§１１９（ａ））により優先権を主張し、そのすべての内容は参考文献として本特許出願に組み込まれる。同時に、本特許出願は、米国以外の国に対しても上記同様の理由で優先権を主張し、そのすべての内容は参考文献として本特許出願に組み込まれる。
【図１ａ】
0006522245.tif 000002
【図１ｂ】
0006522245.tif 000003
【図２】
0006522245.tif 000004
【図３ａ】
0006522245.tif 000005
【図３ｂ】
0006522245.tif 000006
【図３ｃ】
0006522245.tif 000007
【図４】
0006522245.tif 000008
【図５】
0006522245.tif 000009
【図６】
0006522245.tif 000010
【図７】
0006522245.tif 000011
【図８】
0006522245.tif 000012